(57)【要約】【課題】容器に計量器機能を持たせ、簡単な操作で計量して内容物を注ぎ出せ、更に連続して又は微調節をしながら内容物を注ぎ出せる計量部付き容器および計量部を実現することを目的とする。【解決手段】  内容物を収納する収納部５と前記収納部５の内容物を計量する計量部１からなる計量部付き容器において、前記計量部１は、前記収納部５の上部に連通する小孔３と、前記小孔３に対して対向する位置に設けられた注ぎ口６と、前記収納部５と注ぎ口６との間を仕切る仕切板２と、該計量部１前面の少なくとも半面を覆い、かつその表面に目盛り４aが設けられた計量板４と、からなり、前記小孔３が仕切り板２の下端に設けられ、目盛り４ａと協奏して計量する内容物を水平に維持する目盛り４ｂを有していることを特徴とする計量部付き容器となっている。【選択図】  図１
2008180660.tif 000002
【特許請求の範囲】
【請求項１】
内容物を収納する収納部５と前記収納部５の内容物を計量する計量部１からなる計量部付き容器において、前記計量部１は、前記収納部５の上部に連通する小孔３と、前記小孔３に対して対向する位置に設けられた注ぎ口６と、前記収納部５と注ぎ口６との間を仕切る仕切り板２と、該計量部１前面の少なくとも半面を覆い、かつその表面に目盛り４aが設けられた計量板４と、からなり、前記小孔３が仕切り板２の下端に設けられ、目盛り４ａと協奏して計量する内容物を水平に維持する目盛り４ｂを有していることを特徴とする計量部付き容器。
【請求項２】
前記計量部１前面の開口部には、開閉又は取外しが自在な蓋部１０を設けたことを特徴とする請求項１に記載の計量部付き容器。
【請求項３】
前記計量部１は、前記収納部５から着脱自在な構造であることを特徴とする請求項１又は請求項２に記載の計量部付き容器。
【請求項４】
内容物を収納する収納部に取り付けることにより、内容物を計量できる計量部１であって、前記収納部の上部に連通する小孔３と、前記小孔３に対して対向する位置に設けられた注ぎ口６と、前記収納部と注ぎ口６との間を仕切る仕切り板２と、該計量部１前面の少なくとも半面を覆い、かつその表面に目盛り４ａが設けられた計量板４と、収納部接続部１１からなり、前記小孔３が仕切り板２の下端に設けられ、目盛り４ａと協奏して計量する内容物を水平に維持する目盛り４ｂを有していることを特徴とする計量部。
【請求項５】
前記計量部１前面の開口部には、開閉又は取外しが自在な蓋部１０を設けたことを特徴とする請求項４に記載の計量部。
【発明の詳細な説明】
【技術分野】
【０００１】
本発明は、液体又は粉粒体を計量して取り出す、微調節して取り出す、連続して取り出すことができる計量部付き容器に関するものである。
【背景技術】
【０００２】
容器から内容物を計量して取り出す機構として、例えば実公昭４６‐２５１７８号がある。図１３はこの先行事例の斜面図、図１４は内容物を計量している図である。また、容器から計量して取り出す機構として、例えば特開２００６−２３２４０７号がある。この計量機能付き容器は図１５に示す構成となっている。
【特許文献１】実公昭４６−２５１７８号公報
【特許文献２】特開２００６−２３２４０７号公報
【発明の開示】
【発明が解決しようとする課題】
【０００３】
実公昭４６‐２５１７８号の定量注出装置を有する液状物容器は、図１４の定量室５内部の液状物Lを注出口１３から全て注ぎ出さない場合、容器全体を立てると隔壁４が定量室５と容器本体１を隔離するので液状物Lは定量室５の注出口１３付近に溜まることとなる。この溜まった液状物Lを容器本体１に戻すためには、容器全体の角度を調節しなくてはならず不便である。また、液状物Lが溜まった状態でこの容器本体１を押してしまうと予期せずに液状物Lが注出口１３から出てしまう。
【０００４】
そして連続して液状物Lを注ぎ出す場合、容器本体１を押しつづけなくてはならないので不便である。更に容器本体１を押しつづけると容器本体１は変形の限界になり、それ以上液状物Lの注ぎ出しができなくなり、注ぎ出しを中断して容器本体１に空気を入れなくてはならず不便である。さらに液状物Lを大量に注ぎ出す場合に、蓋部３を取り外せば連続して液状物Lを注ぎ出すことができるが、定量注出の機能は無くなってしまうという問題点がある。
【０００５】
特開２００６−２３２４０７号の計量機能付き容器では図１６の計量部８内に必要な分量より多く内容物２２を出しすぎた場合、注出筒９が底面部１０よりも高くなっているため容器本体３に戻すことは出来ない。このため内容物２２を計量部８に出しすぎた場合、微調節しながら内容物２２を注出口１１から注ぎ出し、計量器体２に残った内容物２２を計量目盛り１３により計量して注ぎ出した内容物２２を計量するという不便な操作が問題である。またこの操作は微調節をしながら注ぎ出すので、注ぎ出しのスピードも遅くなるため注出口１１から内容物２２が垂れることがありそれを掃除しなくてはならず不便である。
【０００６】
また、連続して内容物２１を注ぎ出す使い方は想定されておらず、大量の内容物２１を注ぎ出したい場合は図１６と図１７に示す計量と注ぎ出しの状態を繰り返さなければならず不便で、図１５の計量器体２と容器本体３を分離することにより連続して内容物２１を注ぎ出すことも可能であるが、分離した状態では計量機能が無くなる上、分離する手間がかかる。これら２つの先行事例に共通することは内容物を計量部に出しすぎてしまった時に、内容物を保存しておく容器に戻せないことと、大量に内容物を取り出したい時には計量と注ぎ出しの作業を繰り返すか、計量部を分解して連続して内容物を注ぎ出すしか方法がなく不便である。
【０００７】
本発明はこれらの問題点を解決することを目的とし、計量する部分に内容物を出しすぎても内容物を収納部に戻せ、意図した量の内容物を計量することが出来、連続して又は微調節をして内容物を注ぎ出すことも可能で、計量した内容物を全て注ぎ出さない場合でも使用後は内容物が自動的に収納部に収納される計量部付き容器および計量部を実現することを目的としている。
【課題を解決するための手段】
【０００８】
上記目的を達成するため、本発明は  内容物を収納する収納部５と前記収納部５の内容物を計量する計量部１からなる計量部付き容器において、前記計量部１は、前記収納部５の上部に連通する小孔３と、前記小孔３に対して対向する位置に設けられた注ぎ口６と、前記収納部５と注ぎ口６との間を仕切る仕切り板２と、該計量部１前面の少なくとも半面を覆い、かつその表面に目盛り４aが設けられた計量板４と、からなり、前記小孔３が仕切り板２の下端に設けられ、目盛り４ａと協奏して計量する内容物を水平に維持する目盛り４ｂを有していることを特徴とする計量部付き容器である。
【０００９】
計量板４および計量部１側面には目盛り４a、４ｂが設けてあり、目盛り４a、４ｂに合わせて内容物７を計量することにより、計量部１内部の内容物７の水平面の３点が決定されるので一定量の内容物７の計量が行なえる。目盛り４a、４ｂは複数種類設けてあるので、複数種類の量の計量が行なえる。また、目盛りは目盛り４ｃや、仕切り板２に記してもよい。
【００１０】
小孔３に対して計量部１上の対向する位置に注ぎ口６があるので、計量した内容物７を注ぎ出す際に、収納部５から新たに内容物７が計量部１に出てくるのを防ぐ構造となっている。微調節をしながら内容物７を注ぎ出す場合も、注ぎ出しを行なうにつれ小孔３は注ぎ口６よりも高い位置に移るので、収納部５から新たに内容物７が計量部１に出てくることはない。注ぎ口６は内容物７の注ぎ出しを行なった際に、計量部１の中で最も低い所に位置しているので計量部１内の内容物７はスムーズに注ぎ出される。
【００１１】
小孔３は収納部５と計量部１の間で内容物７の移動と、空気８の移動が出来る構造となっているので、連続して内容物７の注ぎ出しが行なえる。小孔３は仕切板２の下端に取り付けられているため、容器全体を立てると計量部１内部の内容物７は収納部１に収納される構造となっている。
【００１２】
請求項２は前記計量部１前面の開口部には、開閉又は取外しが自在な蓋部１０を設けたことを特徴とする請求項１に記載の計量部付き容器である。計量部１前面の開口部に蓋部取り付け部９を設け、蓋部１０と接続できるようにして内容物７の保存性を向上させたもので、蓋部１０の固定手段は螺旋式に限らず内容物が漏洩せず、蓋部１０の開閉が容易に行えるものであれば他の方法でもよい。
【００１３】
請求項３は前記計量部１は、前記収納部５から着脱自在な構造であることを特徴とする請求項１又は請求項２に記載の計量部付き容器である。計量部１は収納部５の上部に設けた計量部接合部１２と、計量部１の下部に設けた収納部接続部１１により収納部５から着脱自在な構造である。計量部１と収納部５の接続方法は螺旋式に限らず内容物が漏洩せず、計量部１と収納部５の着脱が容易に行えるものであれば他の方法でもよい。
【００１４】
請求項４は内容物を収納する収納部に取り付けることにより、内容物を計量できる計量部１であって、前記収納部の上部に連通する小孔３と、前記小孔３に対して対向する位置に設けられた注ぎ口６と、前記収納部５と注ぎ口６との間を仕切る仕切り板２と、該計量部１前面の少なくとも半面を覆い、かつその表面に目盛り４ａが設けられた計量板４と、収納部接続部１１からなり、前記小孔３が仕切り板２の下端に設けられ、目盛り４ａと協奏して計量する内容物を水平に維持する目盛り４ｂを有していることを特徴とする計量部である。
【００１５】
請求項５は前記計量部１前面の開口部に、開閉又は取外しが自在な蓋部１０を設けたことを特徴とする請求項４に記載の計量部で、内容物の保存性を向上させたものである。請求項４、請求項５の計量部１は、収納部接続部１１により収納部と着脱自在な構造であるため収納部を取り替えても計量部１は同じ物を使える。収納部接続口１１と収納部の間の接続方法は、螺旋式に限らず内容物が漏洩せず、収納部と計量部１の接続、分離が容易に行なえる物であれば他の方法でもよい。      
【発明の効果】
【００１６】
本発明は内容物を計量して注ぎ出す、内容物を連続して注ぎ出す、内容物を微調節しながら注ぎ出すという３つの機能を備えた容器である。容器に計量手段がついているので計量器具を用意しなくても計量が行え、しかも計量部1を分解することなく容器の傾け方を変えるだけで連続して内容物を取り出すことと、微調節しながら内容物を取り出すことができる。
【００１７】
計量板４および計量部１側面には目盛り４a、４ｂが設けてあり、目盛り４a、４ｂに合わせて内容物７を計量することにより、計量部１内部の内容物７の水平面の３点が決定されるので一定量の計量が行なえる。また、目盛り４a、４ｂは複数種類設けてあるので、複数種類の量の計量が行なえる。計量部１に内容物７を多く出しすぎた場合は、容器全体を図２の矢印Aの方向に傾けることにより計量部１内部の内容物７を収納部５に戻せるので正確な計量が出来る。これに対し、特開２００６−２３２４０７号の計量機能付き容器では計量部８に内容物22を出しすぎると容器本体３に戻すことは出来ないので正確な計量が行なえない。連続して内容物７を注ぎ出さない限り、内容物７を一度計量部１に溜めて計量部１にある内容物７しか注ぎ出されないので大量に内容物７を出してしまう心配がない。
【００１８】
収納部５と注ぎ口６の間は仕切り板２により仕切られ、仕切り板２の下端に小孔３が設けられていて、収納部５の内容物７は計量部１へ容器全体を傾けるだけで移動するので計量が行なえ、反対に計量部１の内容物７は収納部５へ簡単に戻すことが出来るので意図した量の内容物７を計量することが出来る。容器全体を立てた時は図４のD部分は空間であったが、内容物７の注ぎ出しを行う際にD部分に内容物７が充満するため、図４のCの部分は空間が出来、小孔３から内容物７を計量部１に移動させないようにする効果がある。
【００１９】
仕切り板２は注ぎ口６に向かい傾斜していて、注ぎ口６は内容物７の注ぎ出しを行なった際に、計量部１の開口部の中で最も低い所に位置しているので、計量部１内の内容物７はスムーズに注ぎ出され、計量部１の側面に内容物７が垂れることを防いでいる。微調節をしながら内容物７を注ぎ出す場合も、注ぎ出しを行なうにつれ小孔３は注ぎ口６よりも高い位置に移るので、収納部５から新たに内容物７が計量部１に出てくることはない。
【００２０】
小孔３は仕切板２の下端に取り付けられているため、計量部１で計量した内容物７を全て注ぎ口６から注ぎ出さない場合でも容器全体を立てると小孔３から内容物７は自動的に収納部５へ収納される。小孔３は収納部５と計量部１の間で内容物７の移動と、空気８の移動が出来る構造となっているので、計量部１を分解することなく連続して内容物７の注ぎ出しが行なえる。計量部１前面の開口部には、開閉又は取外しが自在な蓋部１０を設けることで保存性を向上させ、計量部１及び収納部５へ異物が混入することや容器が倒れた場合、内容物７が流出することを防いでいる。
【００２１】
前記の特開２００６−２３２４０７号は容器全体を立てた時の横方向を回転軸として内容物２１を注ぎ出しているが、この方法だと回転の中心から注出口１１までの距離が長いので、回転角に対する注出口１１の位置の変位が大きく、少し動かしただけで内容物２１がたくさん注がれてしまう。一方、本発明は容器全体を立てた時の高さ方向を回転軸として計量した内容物７を注ぎ出すので、回転角に対して注ぎ口６の位置の変位量が少ない。よって本発明の方が微調節しながら内容物を取り出しが行いやすい。
【００２２】
また、前記の特開２００６−２３２４０７号は内容物２１を計量状態図１６から注ぎ出しの状態図１７まで、約１８０度動かさなければ内容物２１を注ぎ出せないが、本発明では計量状態図２から注ぎ出し状態図３まで約９０度動かすだけで内容物７の注ぎ出しを行え便利である。これは前記の特開２００６−２３２４０７号が計量と注ぎ出しの動作において容器全体を立てた時の横方向を回転軸として使っているのに対して、本発明が高さ方向と横方向の軸を回転軸として使っているためである。
【００２３】
このように、本発明では容器全体を立てると計量部１内部に残った内容物７が小孔３から自動的に収納部５へ戻り、また、連続して内容物を取り出す場合は計量部１を分離することなく行なえ、これらは前記２つの先行事例では実現できなかった機能である。請求項３の計量部１は収納部５から着脱自在な構造であるので、収納部５を取り替えても計量部１は同じ物を使えるので、経済的であり、資源の有効活用にもなる。
【００２４】
請求項４、５の計量部１は、収納部接続部１１を一般的な容器と接合できるような形状にしておけば、一般的な容器に本発明の計量部１を取り付けて計量部付き容器として使用でき便利である。前記２つの先行事例では一般的な容器と計量部とを接続して使うことは考えられていなかったが、本発明では一般的な容器との接続が可能である。また、収納部５を取り替えても計量部１は同じ物を使えるので、経済的であり、資源の有効活用にもなる。
【発明を実施するための最良の形態】
【００２５】
図１に本発明の実施例を示す。計量部１には目盛り４a、４ｂが記されているので内容物７の計量が行え、この目盛りの種類や計量部１の大きさを変えることにより様々な用途に使用できる。収納部５と注ぎ口６は仕切り板２により仕切られ、仕切り板２の下端に小孔３が設けられていて、収納部５の内容物７は計量部１へ容器全体を傾けるだけで移動するので計量でき、反対に計量部１の内容物７は収納部５に簡単に戻すことが出来るので意図した量の内容物７を計量することが出来る構造となっている。
【００２６】
収納部５と注ぎ口６とを仕切る仕切り板２は図３に示すように内容物７の注ぎ出し時に内容物７の注ぎ出しの速度を増し、内容物７が予期せずに計量部１の側面に垂れることを防ぐため注ぎ口６に向けて傾斜している。また、容器全体を立てた時に計量部１の内容物７を収納部５に戻すため、小孔３が仕切り板２の下端に位置する構造が好ましい。
【００２７】
仕切り板２に設けた小孔３は内容物７と空気８が通過できる程度の大きさで、図３に示す注ぎ出し時に、収納部５内部の内容物７が計量部１に出てこないように注ぎ口６の対向する位置に備えていることが好ましい。また仕切り板２は、仕切り板２の稜線が注ぎ口６部分まで滑らかに接続されておらず計量部１の側面で接続する場合でもよい。計量部１は円筒状の形に限らず、請求項１から５のどれかを満たしていればどのような形でもよい。
【実施例１】
【００２８】
図１に本発明の第一実施例を示す。内容物７を計量する場合は図２の状態まで容器全体を傾け、小孔３から内容物７を注ぎこみ計量部１に記してある２つの目盛り４ａ、４ｂに合わせて内容物７の量を計量する。計量部１に内容物７を多く出しすぎた場合は、容器全体を図２の矢印Aの方向に傾けることにより計量部１内部の内容物７を収納部５に戻す。
【００２９】
注ぎ出しは、図２の矢印Bの方向に約９０度傾け、図３の状態にすることにより行う。図３の使用状態を説明する図が図４である。図４において、仕切り板２が計量部１の内容物７と収納部５の内容物７とを仕切っていて、小孔３は内容物７の中で最も高い所に位置しているので収納部５内の内容物７は小孔３から出てくることはなく、仕切り板２は注ぎ口６に向けて傾斜がついていて、注ぎ口６は計量部１の開口部の最も低い所に位置しているので計量部１内の内容物７はスムーズに注ぎ出される。
【００３０】
連続して内容物７を注ぎ出す場合は図５のように、容器全体を傾け小孔３を内容物７よりも低い位置にすることにより連続して内容物７を注ぎ出すことができる。微調節しながら注ぎ出す場合は図２の状態で、計量部１に内容物７を溜めた状態から矢印Bの方向に角度を微調節して回転させることにより注ぎ口６より注ぎ出される。内容物７の注ぎ出しが終れば、図６のように計量部１に内容物７が残っていても容器全体を立てるだけで計量部１に残っていた内容物７は収納部５に自動的に収納される。
【００３１】
目盛りは目盛り４ａ、４ｂだけでなく目盛り４ｃや仕切り板２内部に記してもよい。実施例１の変形例として、図７に示すものは収納部５内の内容物７が少なくなり、容器全体を逆さまにした場合に、小孔３の下に計量板４があるため内容物７が計量部１に溜まり計量が確実に行える構造である。図８は小孔３を収納部５の側面部より外側に設け、計量部１で計量できる内容物７の量を多くした変形例である。      
【実施例２】
【００３２】
図９は本発明の第二実施例で、計量部１に蓋部取り付け部９を備え、螺旋式等で固定する蓋部１０を取り付けることにより内容物の保存性を向上させたものである。蓋部１０の固定手段は螺旋式に限らず内容物が漏洩せず、蓋の開閉が容易に行えるものであれば他の方法でもよい。
【実施例３】
【００３３】
図１０は本発明の第三実施例で、計量部１を収納部５から取り外せる構造にしたものである。これにより収納部５を取り替えても計量部１は同じ物を使えるので経済的である。                                                                                                                                                                                                                                                                              
【実施例４】
【００３４】
図１１は本発明の第四実施例で、計量部１は収納部から着脱自在な構造である。計量部１の構造については前述の実施例と同じなのでその詳細は省略する。この計量部１を一般の容器と接続し、一般の容器を収納部として使い計量器付き容器として用いる。
【実施例５】
【００３５】
図１２は本発明の第五実施例で、計量部１は実施例４の計量部１の前面の開口部に、開閉又は取外しが自在な蓋部１０を設けた計量部である。実施例４、５は収納部接続部１１を一般的な容器の蓋部分と接合できるような形状にしておけば、一般的な容器に本発明の計量部を取り付けて、計量部付き容器として使うことが出来、便利である。
【産業上の利用可能性】
【００３６】
本発明は、液体や粉粒体を計量して注ぎ出すことができるので料理に用いる調味料類や、車両等に用いるエンジンオイルの混合や薬の取り出しなど、計量を必要とする分野等で利用すると便利である。
【図面の簡単な説明】
【００３７】
【図１】本発明の計量部付き容器の透視図
【図２】図１の計量部付き容器で計量方法を示した透視図
【図３】図２で計量を行った内容物７の注ぎ出しを示した透視図
【図４】注ぎ出し時の使用状態を示す図
【図５】図１の計量部付き容器で内容物７の連続注ぎ出しを行う方法を示した透視図
【図６】図２の状態から正立状態にした時の透視図
【図７】内容物が少ない時でも計量が可能な変形例
【図８】計量できる量を多くした変形例
【図９】本発明の第二実施例
【図１０】本発明の第三実施例
【図１１】本発明の第四実施例
【図１２】本発明の第五実施例
【図１３】実公昭４６−２５１７８号、定量注出装置を有する液状物容器の斜面図
【図１４】実公昭４６−２５１７８号、定量注出装置を有する液状物容器の計量時の図
【図１５】特開２００６−２３２４０７号、計量機能付き容器の透視図
【図１６】特開２００６−２３２４０７号、計量機能付き容器の計量時の透視図
【図１７】特開２００６−２３２４０７号、計量機能付き容器の注ぎ出し時の透視図
【符号の説明】
【００３８】
１計量部
２仕切り板
３小孔
４計量板
４ａ目盛り
４ｂ目盛り
４ｃ目盛り
５収納部
６注ぎ口
７内容物
８空気
９蓋部取り付け部
１０蓋部
１１収納部接続部
１２計量部接続部
【図１】
2008180660.tif 000003
【図２】
2008180660.tif 000004
【図３】
2008180660.tif 000005
【図４】
2008180660.tif 000006
【図５】
2008180660.tif 000007
【図６】
2008180660.tif 000008
【図７】
2008180660.tif 000009
【図８】
2008180660.tif 000010
【図９】
2008180660.tif 000011
【図１０】
2008180660.tif 000012
【図１１】
2008180660.tif 000013
【図１２】
2008180660.tif 000014
【図１３】
2008180660.tif 000015
【図１４】
2008180660.tif 000016
【図１５】
2008180660.tif 000017
【図１６】
2008180660.tif 000018
【図１７】
2008180660.tif 000019